(57)【要約】【課題】浴槽洗浄システムにおいて、給湯装置から供給される低温状態の湯水を用いた浴槽洗浄運転が実行される可能性を低減する。【解決手段】浴槽洗浄システムは、給湯装置３から供給される湯水を用いて浴槽４０を洗浄する洗浄運転を実行する洗浄ユニット１０と、洗浄ユニット１０における浴槽４０への注湯動作を制御するための制御装置１００とを備える。制御装置１００は、給湯装置３が熱源機で加熱した湯水を供給する給湯運転を実行していることを検知するための検知手段と、洗浄運転の実行中に検知手段により給湯装置３が給湯運転を実行していることが検知されないとき、洗浄運転の完了後に注湯温度異常を報知するための報知手段とを含む。【選択図】図１
2015039605.tif 000002
【特許請求の範囲】
【請求項１】
給湯装置から供給される湯水を用いて浴槽を洗浄する洗浄運転を実行する洗浄ユニットと、
前記洗浄ユニットにおける前記浴槽への注湯動作を制御するための制御装置とを備え、
前記制御装置は、
前記給湯装置が熱源機で加熱した湯水を供給する給湯運転を実行していることを検知するための検知手段と、
前記洗浄運転の実行中に前記検知手段により前記給湯装置が前記給湯運転を実行していることが検知されないとき、前記洗浄運転の完了後に注湯温度異常を報知するための報知手段とを含む、浴槽洗浄システム。
【請求項２】
前記洗浄ユニットは、注湯温度を検知するための温度センサを含み、
前記検知手段は、前記温度センサにより検知される前記注湯温度が閾値温度以上であるとき、前記給湯装置が前記給湯運転を実行していることを検知する、請求項１に記載の浴槽洗浄システム。
【請求項３】
前記洗浄ユニットは、前記洗浄運転の実行中において前記注湯動作を複数回行なうように構成され、
前記報知手段は、前記検知手段により前記複数回の注湯動作のいずれにおいても前記給湯装置が前記給湯運転を実行していることが検知されないとき、前記注湯温度異常を報知する、請求項１または２に記載の浴槽洗浄システム。
【発明の詳細な説明】
【技術分野】
【０００１】
本発明は、給湯装置から供給される湯水を用いて浴槽を自動的に洗浄する浴槽洗浄システムに関する。
【背景技術】
【０００２】
浴槽洗浄システムとして、浴槽内に設けた洗浄ノズルと繋がった洗浄管を給湯装置（熱源機）に接続し、この給湯装置から供給される湯水を使って上記洗浄ノズルから洗浄液や湯水を噴射させて浴槽洗浄運転を行なうものが知られている。
【０００３】
このような浴槽洗浄システムとして、特開２０１３−１０６９４２号公報（特許文献１）には、給湯器から出湯配管を介して供給される湯水による予備すすぎと、洗剤と湯水との混合液（洗浄液）による洗浄とを行なう浴槽洗浄装置が開示されている。この特許文献１に記載される浴槽洗浄装置は、予備すすぎ時に出湯配管から供給された湯水温度を検知する温度検知手段と、該温度検知手段により検知された湯水温度に基づいて予備すすぎの継続時間および／または湯水の積算流量を制御する制御手段とを備えている。
【０００４】
また、特開平１０−３００１８８号公報（特許文献２）には、給湯器により熱交換加熱された温水を導いて浴槽を自動洗浄する浴槽自動洗浄装置において、浴槽洗浄用の温水が浴槽の近傍まで導かれた時点での温水温度を検出する温度センサを設け、該温度センサで検出される温水温度が洗浄に適した温度になるまでは、洗浄時間のカウントを開始させないようにした構成が開示されている。
【先行技術文献】
【特許文献】
【０００５】
【特許文献１】特開２０１３−１０６９４２号公報
【特許文献２】特開平１０−３００１８８号公報
【発明の概要】
【発明が解決しようとする課題】
【０００６】
上記の特許文献に記載される浴槽洗浄システムは、給湯器から出湯配管を介して供給される湯水の温度に応じて洗浄時間等の洗浄条件を調整することにより、良好な浴槽自動洗浄を効率的に行なうことを実現するものである。
【０００７】
しかしながら、このような浴槽洗浄システムにおいて、給湯器により熱交換加熱されていない低温状態の湯水が出湯配管を介して供給された場合には、浴室内と同等の温度および湿度に保たれている洗浄装置の内部では、配管内を低温状態の水が流れることによって結露が発生する虞がある。そして、この結露が洗浄装置内部に配された電磁弁などに付着すると、漏電等の電気的故障を引き起こす可能性がある。
【０００８】
上述した低温状態の湯水を用いた浴槽洗浄運転が繰り返し行なわれると、結露により生じた水滴が洗浄装置の内部に溜まってしまうため、電気的故障に繋がる可能性が高くなる。したがって、このような浴槽洗浄運転が行なわれるのを抑制する必要がある。
【０００９】
この発明は、このような問題点を解決するためになされたものであって、その目的は、浴槽洗浄システムにおいて、給湯装置から供給される低温状態の湯水を用いた浴槽洗浄運転が実行される可能性を低減することである。
【課題を解決するための手段】
【００１０】
本発明による浴槽洗浄システムは、給湯装置から供給される湯水を用いて浴槽を洗浄する洗浄運転を実行する洗浄ユニットと、洗浄ユニットにおける浴槽への注湯動作を制御するための制御装置とを備える。制御装置は、給湯装置が熱源機で加熱した湯水を供給する給湯運転を実行していることを検知するための検知手段と、洗浄運転の実行中に検知手段により給湯装置が給湯運転を実行していることが検知されないとき、洗浄運転の完了後に注湯温度異常を報知するための報知手段とを含む。
【００１１】
上記浴槽洗浄システムによれば、洗浄ユニットの故障に繋がる浴槽洗浄運転が実行されたことを、浴槽洗浄運転の完了後に報知することにより、誤った浴槽洗浄運転を実行したことをユーザに気付かせるとともに、正しい浴槽洗浄運転（すなわち、給湯装置により熱交換加熱された湯水を用いた浴槽洗浄運転）を行なうようにユーザに促すことができる。これにより、洗浄ユニット内部に生じた結露によって洗浄ユニットが故障する可能性を低減することができる。
【００１２】
好ましくは、洗浄ユニットは、注湯温度を検知するための温度センサを含む。検知手段は、温度センサにより検知される注湯温度が閾値温度以上であるとき、給湯装置が給湯運転を実行していることを検知する。
【００１３】
このようにすれば、温度センサの検出値を用いて給湯装置が給湯運転を実行していることを容易に検知することができる。なお、閾値温度を、給湯装置の通常の給湯運転における給湯温度の設定範囲における下限値に対して、温度センサの検出誤差や、給湯装置と洗浄ユニットとを繋ぐ配管での損失分などを差し引いた値に設定することにより、給湯装置が給湯運転を実行していることを正確に検知することができる。
【００１４】
好ましくは、洗浄ユニットは、洗浄運転の実行中において注湯動作を複数回行なうように構成される。報知手段は、検知手段により複数回の注湯動作のいずれにおいても給湯装置が給湯運転を実行していることが検知されないとき、注湯温度異常を報知する。
【００１５】
これによれば、洗浄運転の実行中に給湯装置が給湯運転を実行していないことが確実となったときに注湯温度異常が報知されるため、誤った浴槽洗浄運転を実行したことをユーザに気付かせることができる。
【発明の効果】
【００１６】
本発明によれば、浴槽洗浄システムにおいて、給湯装置から供給される低温状態の湯水を用いた浴槽洗浄運転が実行される可能性を低減することができる。
【図面の簡単な説明】
【００１７】
【図１】この発明の実施の形態に従う浴槽洗浄システムを適用した風呂システムの全体構成図である。
【図２】図１に示した洗浄ユニットの構成図である。
【図３】浴槽洗浄システムによる浴槽洗浄運転を説明するためのタイミングチャートである。
【図４】本発明の実施の形態に従う給湯検知処理を実現するための処理手順を示したフローチャートである。
【発明を実施するための形態】
【００１８】
本発明の実施の形態について、図面を参照しながら詳細に説明する。なお、図中の同一または相当する部分については、同一符号を付してその説明は繰り返さない。
【００１９】
［風呂システムの構成］
図１は、この発明の実施の形態に従う浴槽洗浄システムを適用した風呂システムの全体構成図である。なお、図１は、浴槽洗浄システムにより浴槽を洗浄するときの風呂システムの構成を示している。
【００２０】
図１を参照して、風呂システムは、建物１の内部に設けられた浴室２と、熱源機となる給湯器３とによって構成される。浴室２の内部には、浴槽４０および洗浄ユニット１０が設置されている。浴室２の外部または建物１の外部には給湯器３が設置されている。浴室２の外部にはさらに、洗浄ユニット１０に電力を供給するための電源装置４が設置されている。電源装置４は、商用電源から供給される交流電力を洗浄ユニット１０の駆動に適した電力に変換して洗浄ユニット１０に供給する。
【００２１】
なお、本実施の形態では、電源装置４から洗浄ユニット１０のみに電力を供給する構成について例示したが、電源装置４を、洗浄ユニット１０に加えて、給湯器３などの各負荷に電力を供給する構成としてもよい。
【００２２】
給湯器３は、給湯機能、湯張り機能および追い焚き機能を備えた熱源機である。本実施の形態による給湯器３は、１缶２水式に構成される。すなわち、給湯器３は、図示は省略するが、給湯熱交換器および風呂熱交換器が１つの缶体内に配設されて共通の熱源である燃焼バーナにより熱交換加熱されるように構成されている。なお、給湯器３は、湯張り機能および追い焚き機能を備えない構成であってもよい。
【００２３】
給湯器３は、給湯熱交換器に接続された給水管７０および出湯管７２と、風呂熱交換器および浴槽４０内の循環アダプタ４２の間に接続された往き管７４および戻り管７６とを備える。給水管７０および出湯管７２は給湯管路を構成し、往き管７４および戻り管７６は追い焚き機能を実現するための循環管路を構成する。
【００２４】
給湯器３は、水道水等の給水を給水管７０から受けて給湯熱交換器において燃焼バーナの燃焼熱との熱交換加熱により所定温度まで加熱した湯を出湯管７２から出湯させる。出湯管７２の端末には、給湯使用するためのカラン７３やシャワーヘッド等の給湯栓（図示せず）が接続されている。また、給湯器３は、浴槽４０から循環管路を介して給湯器３に戻された浴槽湯水を風呂熱交換器において燃焼バーナの燃焼熱との熱交換加熱により所定温度まで追い焚き加熱し得るようになっている。
【００２５】
給湯器３には、給湯器３の動作を制御するための制御部（図示せず）が設けられており、この制御部によって給湯運転、湯張り運転、追い焚き運転等が制御される。制御部には、給湯器３を遠隔操作するためのリモコン（以下、「給湯器リモコン」とも称する）が通信線５により接続されている。図１では「給湯器リモコン」の一例として、台所リモコン７および浴室リモコン９を示している。台所リモコン７および浴室リモコン９には、運転スイッチ、湯張りスイッチ、追い焚きスイッチ、タッチパネル等が設けられている。タッチパネルには、その画面上をタッチ操作することにより、給湯設定温度、湯張り設定温度等を入力設定するための操作画面が表示される。ユーザは給湯器リモコン７，９によって湯張りや追い焚き運転の入力操作を行なうことができる。
【００２６】
浴槽４０には、その側壁の所定位置に循環アダプタ４２が設置され、底壁に自動開閉駆動制御式の排水栓４４および洗浄ノズル６０が設置されている。また、浴槽４０の上面側のフランジ壁には、開閉駆動機構４６および洗剤タンク５０が設置されている。循環アダプタ４２には、循環管路の往き管７４および戻り管７６がそれぞれ接続され、循環アダプタ４２を介して浴槽４０内の浴槽湯水が戻り管７６に吸引される一方、往き管７４から浴槽４０内に浴槽湯水が吐出される。排水栓４４は、開閉駆動機構４６からの開閉駆動力の伝達を受けて開閉動作を行なう。開閉駆動機構４６には、排水栓４４が開状態か閉状態かを検知するためのセンサが設けられており、当該センサの出力信号および図示しない所定の操作部からの入力信号に基づいて開閉駆動機構４６が排水栓４４の開閉動作を制御する。開閉駆動機構４６によって排水栓４４が開状態とされると、浴槽４０内の湯水が浴室２の底部に排出され、続いて浴室２の排水口（図示せず）から排水される。
【００２７】
［浴槽洗浄システムの構成］
浴槽洗浄システムは、洗浄ユニット１０によって浴槽４０内に湯水や洗剤液を噴出させることにより浴槽４０を自動洗浄する浴槽洗浄運転を行なう。なお、洗浄ノズルを浴室２の壁面または上部にさらに設置することにより、浴室２を構成する壁面および床面等の浴室部材も洗浄し得るように構成してもよい。
【００２８】
浴槽洗浄システムは、浴槽４０の底壁に設置された洗浄ノズル６０と、洗浄ノズル６０に湯水を供給する洗浄管７８と、湯水に洗剤液を混入するための洗剤供給管５４と、洗剤原液を貯留する洗剤タンク５０と、給湯器３と浴槽４０との間に設けられた洗浄ユニット１０と、電源装置４の内部に収容された制御部１００と、洗浄ユニット１０を遠隔操作するための洗浄リモコン８とを備える。
【００２９】
洗浄ノズル６０は、浴槽４０の底壁を貫通して設置され先端開口（上面開口）から浴槽４０の内側壁や浴槽４０外に向けて所定範囲の広がりをもって湯水又は洗剤液を噴出するように構成されている。なお、洗浄ノズル６０として、図１では１つのみを示しているが、浴槽４０のサイズや洗浄対象の浴室部材等に応じて、２以上を所定配置にて設置することができる。
【００３０】
洗浄管７８は、一端が洗浄ノズル６０に接続され、他端が給湯器３の出湯管７２から引き出された接続管７５に接続されている。洗剤供給管５４は、洗剤タンク５０の下部から延出されて洗浄管７８の途中に接続される。洗剤タンク５０は、浴槽４０の上面側のフランジ壁に設置されている。洗剤タンク５０の上部にはフランジ壁上に露出された洗剤補給口が設けられている。
【００３１】
洗浄ユニット１０は、浴槽４０の外周部等に設置され、給湯器３から湯水の供給を受けて浴槽４０内に洗剤液や湯水を噴出させて浴槽４０を自動洗浄する。図１において、洗剤液および湯水が流れる経路を太線で示している。
【００３２】
制御部１００は、図示しないマイクロコンピュータ、メモリおよびタイマ等により構成される。制御部１００は、メモリに記憶された洗浄ユニット１０の制御用プログラムをマイクロコンピュータに実行させることにより、浴槽洗浄運転の動作を制御する。制御部１００には、洗浄ユニット１０を遠隔操作するための洗浄リモコン８が通信線６により接続されている。制御部１００は、洗浄リモコン８との間で各種信号の送受信を行なう。ユーザが洗浄リモコン８を用いて浴槽洗浄運転の実行を入力操作することにより、制御部１００は浴槽洗浄処理を実行する。
【００３３】
以下、図２を参照して、洗浄ユニット１０についてさらに説明する。
［洗浄ユニットの構成］
図２を参照して、洗浄管７８には、接続管７５と接続する上流側から順に、入水金具１２、水ガバナ弁１４、サーミスタ１６、水量センサ１８、注湯電磁弁２０、逆止弁２２、逆流防止弁２６、逆止弁２４、大気開放弁２８、逆止弁３０、洗剤電磁弁３２、および洗剤混入部３４が介装されている。
【００３４】
入水金具１２に接続管７５が連結されることにより、洗浄管７８および接続管７５が接続される。出湯管７２を通して給湯器３から供給される湯水が洗浄管７８に流入する。水ガバナ弁１４は、洗浄管７８内の水圧を一定にする。
【００３５】
サーミスタ１６は、洗浄管７８内を流れる湯水の温度を検出して検出信号を制御部１００に出力する。水量センサ１８は、給湯器３の出湯管７２から洗浄管７８に供給される湯の流量を検出して検出信号を制御部１００に出力する。
【００３６】
注湯電磁弁２０は、制御部１００からの制御指令により作動して洗浄管７８の流路を開閉する。具体的には、制御部１００からの開指令に応答して注湯電磁弁２０が開弁することにより、給湯器３の出湯管７２から供給された湯水が接続管７５を介して洗浄管７８内に導入される。洗浄管７８に導入された湯水は、水ガバナ弁１４によって一定の水圧に制御されて洗浄管７８を流れ、洗浄ノズル６０から浴槽４０内に向けて噴出される。これにより、浴槽４０内のすすぎ洗浄が行なわれる。
【００３７】
一方、制御部１００からの閉指令に応じて注湯電磁弁２０が閉弁することにより、洗浄管７８への湯水の供給が遮断される。注湯電磁弁２０は、洗浄管７８の流路を開閉可能な開閉弁の代表例として用いられる。すなわち、全開と全閉との切替えが可能に構成された弁であれば、任意の形式の開閉弁を注湯電磁弁２０に代えて適用することができる。
【００３８】
逆止弁２２，２４は、接続管７５から洗浄管７８への方向の湯水の通過を可能とし、洗浄管７８から接続管７５への方向の湯の通過を不能とする。
【００３９】
逆流防止弁２６は、風呂の雑水と上水とを縁切りするための安全装置である。逆流防止弁２６は、上水の給水元側の圧力（１次圧）と供給先側の圧力（２次圧）との圧力差により通常はオーバーフロー口を閉止するものである。また逆流防止弁２６は、断水などで給水元側に負圧が発生すると開弁し、オーバーフロー口から雑水を洗浄ユニット１０の外部へ排出する。オーバーフロー口は、図示しない配管を通じて洗浄ユニット１０の排水部に接続されている。
【００４０】
大気開放弁２８は、洗浄管７８に洗浄水が流れていない状態で洗浄管７８内を大気に連通し、洗浄管７８内に洗浄水が流れている状態で大気との連通を遮断する。逆止弁３０は、洗剤混入部３４の上流側に設けられている。逆止弁３０は、これより上流側に洗剤液が逆流することを防止している。
【００４１】
洗剤混入部３４は、ベンチュリ管により構成される。洗剤混入部３４には洗剤供給管５４の下流端が連通接続されている。洗剤供給管５４の上流端は洗剤タンク５０に連通接続される一方、洗剤供給管５４の途中には洗剤電磁弁３２が介装されている。洗剤電磁弁３２は、制御部１００からの制御指令により作動して洗剤供給管５４の流路を開閉する。具体的には、制御部１００からの開指令に応答して洗剤電磁弁３２が開弁することにより、洗剤タンク５０から供給される所定量の洗剤原液が、洗剤混入部３４において、洗浄ノズル６０に向けて通過する湯水に対して負圧吸引作用により混合されて洗剤液が生成される。そして、この洗剤液が洗浄ノズル６０から浴槽４０内に向けて噴出される。これにより、浴槽４０内の洗剤洗浄が行なわれる。
【００４２】
一方、制御部１００からの閉指令に応答して洗剤電磁弁３２が閉弁することにより、洗剤混入部３４への洗剤原液の供給が遮断される。すなわち、洗剤電磁弁３２を開状態にする開弁時間の長短によって１回の洗浄に対する洗剤供給量の調整が可能となっている。なお、洗剤タンク５０の内部には、洗剤原液の液位を検知するためのフロートスイッチ５２が設けられており、所定の液位まで低下したことを検知して制御部１００に出力するように構成されている。
【００４３】
洗浄リモコン８は、運転スイッチ、洗浄スイッチ、表示部および音声出力部を含む。運転スイッチは、洗浄ユニット１０の運転／停止を選択するためのスイッチである。運転スイッチを「入（ＯＮ）」にすることにより、浴槽洗浄運転が許可された状態、すなわち洗浄スイッチの操作の受付け可能状態となる。一方、運転スイッチを「切（ＯＦＦ）」にすることにより、浴槽洗浄運転が禁止された状態、すなわち、洗浄スイッチの操作を受付けない状態となる。
【００４４】
洗浄スイッチは、浴槽洗浄運転の実行／停止を選択するためのスイッチである。運転スイッチをＯＮした状態で洗浄スイッチを「入（ＯＮ）」にすると、浴槽洗浄運転が実行され、洗浄スイッチを「切（ＯＦＦ）」にすると、浴槽洗浄運転が停止する。
【００４５】
表示部は、浴槽洗浄システムの運転状態（運転／停止）を表示する。表示部はさらに、浴槽洗浄システムにエラーが発生した場合にエラーの内容を示すエラーコードを表示する。音声出力部は、浴槽洗浄運転の実行／停止などの浴槽洗浄システムの運転状況や、浴槽洗浄システムにエラーが発生したことを知らせるための音声を発生する。
【００４６】
［浴槽洗浄運転］
次に、本発明の実施の形態による浴槽洗浄システムによる浴槽洗浄運転の動作を説明する。図３は、浴槽洗浄システムによる浴槽洗浄運転を説明するためのタイミングチャートである。
【００４７】
浴槽洗浄運転は、上述したすすぎ洗浄と洗剤洗浄との組み合わせにより行なわれる。一例として、図３に示すように、予備すすぎ洗浄工程、洗剤洗浄工程、および仕上げすすぎ洗浄工程がこの順に行なわれる。なお、浴槽４０の上部には、浴槽蓋（図示せず）が載置されているものとする。
【００４８】
洗浄リモコン８において運転スイッチがＯＮ状態で洗浄スイッチがＯＮにされると、浴槽洗浄運転が開始する。最初に、開閉駆動機構４６を開作動させることにより排水栓４４を開栓する。排水栓４４が開状態のままで設定時間だけ待機することにより、浴槽４０内に残水があったとしても、その残水が排水されて浴槽４０が空になるまで待つ。
【００４９】
次に、予備すすぎ洗浄工程が開始される。予備すすぎ洗浄工程では、洗浄ユニット１０の注湯電磁弁２０を開弁し（時刻ｔ１）、給湯器３側から給湯設定温度に熱交換加熱された湯を洗浄管７８に流し込み、洗浄ノズル６０から浴槽４０内に向けて噴出させる。これにより、浴槽４０の内壁面に付着している毛、湯垢等の汚れが予備的に洗い流される。
【００５０】
上記のすすぎ洗浄が所定時間行なわれると、予備すすぎ洗浄工程を終了し（時刻ｔ２）、次の待機工程に移行させる。待機工程では、注湯電磁弁２０を閉弁することにより洗浄ノズル６０からの噴出を停止し、浴槽４０の内壁面に湯が付着した状態で、所定時間が経過するまで放置する。これにより、浴槽４０の内壁面に付着した湯垢等の汚れに水分が浸透し、汚れを浮き上がらせて次の洗剤洗浄工程で洗い流されやすくすることができる。所定時間が経過すると、待機工程を終了して次の洗剤洗浄工程に移行する（時刻ｔ３）。
【００５１】
洗剤洗浄工程が開始されると（時刻ｔ３）、洗浄ユニット１０の注湯電磁弁２０を開弁するとともに、洗剤電磁弁３２を開弁する。洗剤タンク５０内の洗剤原液が洗剤供給管５４を介して洗剤混入部３４に注入されて洗剤液が生成される。この洗剤液が洗浄ノズル６０から浴槽４０内に向けて噴出される。これにより、浴槽４０の内壁面に付着している湯垢等の汚れが洗浄される。なお、洗剤洗浄を行なう時間および回数は、洗浄リモコン８に対するユーザの入力設定により変更することができる。図３では、洗剤洗浄を行なう回数はたとえば３回に設定されている。
【００５２】
洗剤洗浄が所定時間または所定回数行なわれると、洗剤洗浄工程を終了し（時刻ｔ７）、次の待機工程に移行させる。この待機工程は、上述した洗剤洗浄工程前の待機工程と同様に、注湯電磁弁２０を閉弁して洗浄ノズル６０からの噴出を停止し、浴槽４０の内壁面に洗剤液が付着した状態で所定時間が経過するまで放置する。浴槽４０の内壁面に付着した湯垢等の汚れに洗剤液を浸透させるためである。所定時間が経過すると、待機工程を終了して次の仕上げすすぎ洗浄工程に移行させる（時刻ｔ８）。
【００５３】
仕上げすすぎ洗浄工程が開始されると（時刻ｔ８）、上記の予備すすぎ洗浄工程と同様に、注湯電磁弁２０を開弁し、給湯器３側から給湯設定温度に熱交換加熱された湯を洗浄管７８に流し込み、洗浄ノズル６０から浴槽４０内に向けて噴出させる。これにより、浴槽４０の内壁面において洗剤液により浮き上がらせた湯垢等の汚れが洗剤液とともに洗い流される。この仕上げすすぎ洗浄工程の終了をもって浴槽洗浄運転が終了する（時刻ｔ９）。
【００５４】
（給湯検知処理）
以上のような浴槽洗浄運転を行なっている間、制御部１００は、給湯器３が給湯運転を実行していることを検知する。給湯器３は、給湯器リモコン７，９の運転スイッチをＯＮにすることによって給湯運転が許可されて給湯運転を開始可能な状態になる。給湯運転とは、給水源から供給される水を熱交換器で加熱して出湯させる運転モードである。
【００５５】
この状態で洗浄リモコン８の洗浄スイッチをＯＮする、あるいは洗浄リモコン８によって設定された予約時刻になると、制御部１００は洗浄ユニット１０内部の注湯電磁弁２０を開弁する。給湯器３は、所定の作動流量を超える通水を検出すると、燃焼バーナの燃焼を開始し、燃焼バーナの燃焼熱との熱交換加熱によって給湯設定温度まで加熱した湯水を洗浄ユニット１０に供給する。
【００５６】
これに対して、給湯器リモコン７，９の運転スイッチがＯＦＦされているとき、給湯器３は給湯運転が禁止された状態となっている。この状態で洗浄リモコン８の洗浄スイッチをＯＮする、あるいは洗浄リモコン８によって設定された予約時刻になると、制御部１００は注湯電磁弁２０を開弁することにより浴槽洗浄運転を開始する。しかしながら、給湯器３においては、所定の作動流量を超える通水を検出しても燃焼バーナの燃焼が開始されないため、給水管７０から受けた水がそのまま（加熱されることなく）出湯管７２から洗浄ユニット１０に供給される。
【００５７】
洗浄ユニット１０は、浴室２の内部に設置されているため、ユニット内部の温度および湿度が浴室内の温度および湿度と同等となっている。そのため、洗浄管７８内を低温の水が流れることによって、洗浄管７８の外表面に結露が発生する虞がある。そして、この洗浄管７８の外表面に発生した結露が注湯電磁弁２０および洗剤電磁弁３２などに付着すると、漏電等の電気的故障を引き起こす可能性がある。そのため、注湯電磁弁２０に防滴パッキンを取り付ける、および洗剤電磁弁３２を防滴カバーで覆うなどの対策が採られている。
【００５８】
しかしながら、給湯器リモコン７，９の運転スイッチをＯＦＦした状態での浴槽洗浄運転が繰り返し行なわれると、結露により生じた水滴が洗浄ユニット１０の内部に溜まってしまうため、電気的故障に繋がる可能性が高くなる。このように、給湯器リモコン７，９をＯＦＦした状態での浴槽洗浄運転は、洗浄ユニット１０の故障に繋がる誤った動作であるため、このような浴槽洗浄運転が行なわれるのを抑制する必要がある。
【００５９】
そこで、本実施の形態による洗浄運転システムにおいては、浴槽洗浄運転の実行中における給湯器３の状態を監視することにより、給湯器３が給湯運転を実行していることを検知する。そして、浴槽洗浄運転の実行中に給湯器３が給湯運転を実行していることが検知されないときには、浴槽洗浄運転の完了後に、給湯器３から供給される湯水の温度が洗浄ユニット１０に結露を生じさせる異常な低温であることを示す注湯温度異常（低温出湯）を報知する。これにより、誤った浴槽洗浄運転を行なったことをユーザに気付かせることができる。
【００６０】
図３を参照して、浴槽洗浄運転の実行中、給湯器３は、洗浄ユニット１０の注湯電磁弁２０が開弁状態となっているときに注湯動作を行なう。制御部１００は、給湯器３が注湯動作を行なっているときに、給湯検知処理を実行する。すなわち、制御部１００は、予備すすぎ洗浄工程、洗剤洗浄工程および仕上げすすぎ洗浄工程の各々において、給湯器３の注湯動作に合わせて給湯検知処理を実行する。そして、複数回の注湯動作のうちのいずれかにおいて給湯器３が給湯運転を実行していることが検知されたとき、制御部１００は給湯検知フラグＦを「１」に設定する。この給湯検知フラグＦは、洗浄リモコン８の洗浄スイッチがＯＮにされたときに「０」に初期化される。
【００６１】
なお、制御部１００は、給湯器３が給湯運転を実行していることが一度検知されると、その後の給湯検知処理を行なわない。図３に示すように、たとえば２回目の洗剤洗浄（時刻ｔ４）のときに給湯器３が給湯運転を実行していることが検知されたときには（時刻ｔ５）、３回目の洗浄運転（時刻ｔ６）および仕上げすすぎ洗浄工程（時刻ｔ８）において給湯検知処理を行なわない。これは、浴槽洗浄運転の実行中に給湯運転が実行されたことが１回でも検知されれば、誤った浴槽洗浄運転を行なっているとはいえないからである。
【００６２】
このような構成とすることにより、制御部１００は、複数回の注湯動作のいずれにおいても給湯器３が給湯運転を実行していることが検知されないとき、給湯検知フラグＦを「０」に設定する。すなわち、浴槽洗浄運転中に給湯器３が給湯運転を実行していないことが確実となったときに、制御部１００は給湯検知フラグＦを「０」に設定する。そして、浴槽洗浄運転の完了後、制御部１００は、給湯検知フラグＦが「０」であることに基づいて注湯温度異常（低温出湯）を報知する。
【００６３】
注湯温度異常の報知は、洗浄リモコン８を用いて行なわれる。なお、制御部１００と給湯器リモコン７，９とが通信線５により接続されている場合には、洗浄リモコン８および給湯器リモコン７，９の少なくとも一方を用いて注湯温度異常を報知するようにしてもよい。たとえば、制御部１００は、注湯温度異常である低温出湯を示す報知音を洗浄リモコン８および／または給湯器リモコン７，９の音声出力部から発生させる。または、制御部１００は、注湯温度異常である低温出湯を示すエラーコードを洗浄リモコン８および／または給湯器リモコン７，９の表示部に表示させる。なお、注湯温度異常の報知は、誤った浴槽洗浄運転が実行されたことを視覚的および／または聴覚的に報知し得るものであれば、どのような態様であってもよい。
【００６４】
このように浴槽洗浄運転の完了後に注湯温度異常を報知することにより、誤った浴槽洗浄運転を実行したことをユーザに気付かせるとともに、正しい浴槽洗浄運転を行なうように、すなわち給湯器リモコン７，９の運転スイッチをＯＮした状態で洗浄リモコン８の洗浄スイッチをＯＮにするようにユーザに促すことができる。これにより、洗浄ユニット１０内部に生じた結露によって注湯電磁弁２０および洗剤電磁弁３２などが故障する可能性を低減することができる。
【００６５】
図４は、本発明の実施の形態に従う給湯検知処理を実現するための処理手順を示したフローチャートである。なお、図４に示すフローチャートは、制御部１００において予め格納したプログラムがメインルーチンから呼び出されて所定周期で実行されることによって実現される。
【００６６】
図４を参照して、まずステップＳ０１により、洗浄リモコン８の洗浄スイッチをＯＮにする、あるいは洗浄リモコン８によって設定された予約時刻になると、制御部１００は浴槽洗浄運転を開始する。制御部１００は、図３に示した処理手順に従ってすすぎ洗浄および洗剤洗浄を行なう。
【００６７】
制御部１００はさらに、ステップＳ０２により、洗浄スイッチがＯＮされたときに給湯検知フラグＦを「０」に初期化する。そして、制御部１００は給湯器３の注湯動作に合わせて給湯検知処理を実行する。
【００６８】
具体的には、制御部１００は、まずステップＳ０３において、給湯検知フラグＦが「１」に設定されているか否かを判定する。給湯検知フラグＦが「０」に設定されているとき（ステップＳ０３においてＮＯ）、制御部１００はステップＳ０４に進み、注湯電磁弁２０（図２）が開弁状態であるか否かを判定する。注湯電磁弁２０が開弁状態である場合（ステップＳ０４においてＹＥＳ）、すなわち、給湯器３が注湯動作を行なっている場合、制御部１００は、ステップＳ０５〜Ｓ０７での判定結果に基づいて給湯器３が給湯運転を実行しているか否かを判定する。
【００６９】
ステップＳ０５において、制御部１００は、サーミスタ１６により検出される洗浄管７８内を流れる湯の温度（以下、注湯温度とも称する）と予め定められた閾値温度Ｔｔｈとを比較する。この閾値温度Ｔｔｈは、通常の給湯運転における給湯温度の設定範囲における下限値に対して、サーミスタ１６の検出誤差や接続管７５および洗浄管７８での損失分などを差し引いた値に設定される。閾値温度Ｔｔｈは、給湯器３の内部において実際に給水が燃焼バーナの燃焼熱との熱交換加熱により加熱されているか否かを判定するための判定値に相当する。
【００７０】
注湯温度が閾値温度Ｔｔｈ以上である場合（ステップＳ０５においてＹＥＳ）、制御部１００はステップＳ０６において、水量センサ１８により検出される、給湯器３の出湯管７２から洗浄管７８に供給される湯の流量（以下、注湯流量とも称する）が、予め定められた閾値範囲内に含まれているか否かを判定する。この閾値範囲は、給湯器３が通常の給湯運転時において供給可能な湯の流量に応じて設定される。注湯流量の閾値範囲を設定するのは、水量センサ１８が洗浄管７８内に滞留している湯を検出した場合に、制御部１００が誤って給湯器３が給湯運転を実行していると判断するのを防止するためである。
【００７１】
注湯流量が閾値範囲内に含まれている場合（ステップＳ０６においてＹＥＳ）、制御部１００はステップＳ０７により、注湯温度が閾値温度Ｔｔｈ以上であり、かつ注湯流量が閾値範囲内に含まれている状態が一定時間（たとえば３秒とする）以上連続的に継続しているか否かを判定する。注湯温度が閾値温度Ｔｔｈ以上であり、かつ注湯流量が閾値範囲内に含まれている状態が一定時間以上連続的に継続している場合（ステップＳ０７においてＹＥＳ）、制御部１００は、ステップＳ０８において、給湯器３が給湯運転を実行していると判定し、給湯検知フラグＦを「１」に設定する。
【００７２】
ステップＳ０９では、制御部１００は、浴槽洗浄運転が完了したか否かを判定する。浴槽洗浄運転が完了していないとき（ステップＳ０９においてＮＯ）、制御部１００は、ステップＳ０３〜Ｓ０８の処理を繰り返す。ただし、給湯検知フラグＦが「１」に設定されている場合（ステップＳ０３においてＹＥＳ）、制御部１００は、ステップＳ０４〜Ｓ０８に示す処理をスキップする。
【００７３】
そして、浴槽洗浄運転が完了したとき（ステップＳ０９においてＹＥＳ）、制御部１００は、ステップＳ１０により、給湯検知フラグＦが「１」に設定されているか否かを判定する。給湯検知フラグＦが「１」に設定されている場合（ステップＳ１０においてＹＥＳ）、制御部１００は、ステップＳ１１において、洗浄リモコン８および／または給湯器リモコン７，９を用いて注湯温度異常（低温出湯）を報知する。
【００７４】
このように本発明の実施の形態による浴槽洗浄システムによれば、洗浄ユニット１０の故障に繋がる、給湯器リモコン７，９の運転スイッチをＯＦＦした状態での浴槽洗浄運転が実行されたことを、浴槽洗浄運転の完了後に報知することにより、誤った浴槽洗浄運転を実行したことをユーザに気付かせるとともに、正しい浴槽洗浄運転を行なうように、すなわち給湯器リモコン７，９の運転スイッチをＯＮした状態で洗浄リモコン８の洗浄スイッチをＯＮにするようにユーザに促すことができる。これにより、洗浄ユニット１０内部に生じた結露によって注湯電磁弁２０および洗剤電磁弁３２などが故障する可能性を低減することができる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１  建物、２  浴室、３  給湯器、４  電源装置、５，６  通信線、７  台所リモコン（給湯器リモコン）、８  洗浄リモコン、９  浴室リモコン（給湯器リモコン）、１０  洗浄ユニット、１２  入水金具、１４  水ガバナ弁、１６  サーミスタ、１８  水量センサ、２０  注湯電磁弁、２２，２４，３０  逆止弁、２６  逆流防止弁、２８  大気開放弁、３２  洗剤電磁弁、３４  洗剤混入部、４０  浴槽、４２  循環アダプタ、４４  排水栓、４６  開閉駆動機構、５０  洗剤タンク、５２  フロートスイッチ、５４  洗剤供給管、６０  洗浄ノズル、７０  給水管、７２  出湯管、７３  カラン、７４  往き管、７５  接続管、７６  戻り管、７８  洗浄管、１００  制御部。
【図１】
2015039605.tif 000003
【図２】
2015039605.tif 000004
【図３】
2015039605.tif 000005
【図４】
2015039605.tif 000006